(57)【要約】【課題】自動販売機内部に収納されている金銭授受装置に対する悪戯を効果的に防止すると共に、販売機本体内部に侵入する雨水を防止するのに好適な簡易な構成の自動販売機を提供する。【解決手段】前面パネル体の裏面側に設けられて該前面パネル体を支持すると共に、金銭授受装置の固定部をなすチャネル部材と、このチャネル部材に固定されて該チャネル部材と前面パネル体との間に設けられて金銭授受装置の前面部の金銭投入口を除く領域を覆う補強板とを具備し、前記補強板は、前記チャネル部材に固定されて金銭授受装置の前面部に位置付けられる主体部と、この主体部から前記前面パネル体側に所定の傾斜面を介して突出して形成されて前記前面パネル体の裏面に位置付けられて金銭投入口の周囲を覆う突出面とを備える。【選択図】      図４
2004342034.tif 000002
【特許請求の範囲】
【請求項１】
販売機本体の前面に開閉自在に設けられた前扉の裏面に金銭授受装置を組み付けると共に、この金銭授受装置の金銭投入口を該前扉の前面側に露出させて設けた自動販売機であって、
前記前扉は、前面パネル体と、
この前面パネル体の裏面側に設けられて該前面パネル体を支持すると共に、前記金銭授受装置の固定部をなすチャネル部材と、
このチャネル部材に固定されて該チャネル部材と前記前面パネル体との間に設けられて前記金銭授受装置の前面部の前記金銭投入口を除く領域を覆う補強板とを具備し、
前記補強板は、前記チャネル部材に固定されて前記金銭授受装置の前面部に位置付けられる主体部と、
この主体部から前記前面パネル体側に所定の傾斜面を介して突出して形成されて前記前面パネル体の裏面に位置付けられて前記金銭投入口の周囲を覆う突出面とを備える
ことを特徴とする自動販売機。
【請求項２】
前記補強板の前記前面パネル体の裏面に位置付けられる突出面は、前記金銭投入口の周囲との間を水密にシールして設けられるものである請求項１に記載の自動販売機。
【発明の詳細な説明】
【０００１】
【発明の属する技術分野】
本発明は、貨幣を用いて商品を購入する自動販売機に係り、特に金銭授受装置になされる悪戯や雨水等の流入を防止するに好適な自動販売機に関する。
【０００２】
【従来の技術】
従来から貨幣を利用して商品を購入する自動販売機にあっては、自動販売機の利用者（購入者）が、自動販売機の前扉に設けられた金銭投入口から所望の商品を購入するために必要な金額を投入して該商品を購入する。このとき自動販売機の前扉の前面パネル体の裏面側に固定された金銭授受装置によって投入金種の判別がなされると共に、投入した貨幣の累積金額が算出される。ちなみに金銭授受装置は、前扉の前面パネル体の裏面側に設けられて該前面パネル体を支持するチャネル部材に固定されるようになっている。
【０００３】
ところで、この種の自動販売機は、その内部に収納されている貨幣の盗難を防止するため、板厚の厚い部材（例えば鉄板）からなる補強板を前扉の前面パネル体の裏面に設けて金銭投入口周辺からなされる悪戯（破壊）を防止することが行われている。
また、この種の自動販売機は、一般的に屋外に設置されることが多く、自動販売機の本体内に侵入する雨水防止対策も重要である。例えば、金銭投入口の周囲の隙間から侵入する雨水防止対策として、例えばカバー扉やシャッタ部材等の防水部材を用いて該隙間をシールすることが行われている（例えば、特許文献１および特許文献を２を参照）。
【０００４】
【特許文献１】
特開平８−１６８８１号公報
【特許文献２】
特開２０００−３３１２２２号公報
【０００５】
【発明が解決しようとする課題】
上述した自動販売機における破壊防止用の補強板は、前扉に設けられた金銭投入口から投入された貨幣を、販売機内部に取り付けられた金銭授受装置に受け渡すため、金銭投入口を除いた領域にのみ設けられている。このため、金銭投入口と補強板との間に若干の間隙が生じることが否めない。したがって、この間隙をシールしない場合は、該間隙から雨水が販売機本体の内部に入り込むという問題がある。
【０００６】
また、金銭投入口と補強板との間に生じた間隙から雨水の流入を阻止するため、該間隙に防水部材を用いてシールする必要があり、自動販売機の部品点数が増加するという問題もある。
本発明は、このような事情を考慮してなされたもので、その目的は、自動販売機内部に収納されている金銭授受装置に対する悪戯を効果的に防止すると共に、販売機本体内部に侵入する雨水を防止するのに好適な簡易な構成の自動販売機を提供することにある。
【０００７】
【課題を解決するための手段】
前述した目的を達成するため、本発明に係る自動販売機は、販売機本体の前面に開閉自在に設けられた前扉の裏面に金銭授受装置を組み付けると共に、この金銭授受装置の金銭投入口を該前扉の前面側に露出させて設けた自動販売機であって、
前記前扉は、前面パネル体と、この前面パネル体の裏面側に設けられて該前面パネル体を支持すると共に、前記金銭授受装置の固定部をなすチャネル部材と、このチャネル部材に固定されて該チャネル部材と前記前面パネル体との間に設けられて前記金銭授受装置の前面部の前記金銭投入口を除く領域を覆う補強板とを具備し、
前記補強板は、前記チャネル部材に固定されて前記金銭授受装置の前面部に位置付けられる主体部と、この主体部から前記前面パネル体側に所定の傾斜面を介して突出して形成されて前記前面パネル体の裏面に位置付けられて前記金銭投入口の周囲を覆う突出面とを備えることを特徴としている。
【０００８】
好ましくは、前記補強板の前記前面パネル体の裏面に位置付けられる突出面は、前記金銭投入口の周囲との間を水密にシールして設けられる。
したがって、本発明によれば販売機の前扉の前面パネル体の裏面側に取り付けられた金銭授受装置に対する悪戯を効果的に防止することができると共に、販売機本体の内部に侵入する雨水を防止することができる。
【０００９】
【発明の実施の形態】
以下、図面を参照して本発明の一実施形態に係る自動販売機についてタバコ用自動販売機を例に説明する。
この実施形態に係る自動販売機は、例えば図１にその概略的な外観構成を示すように、複数種の商品（タバコ）を銘柄別に分類してその内部に収納した販売機本体１と、この販売機本体１の前面を開放可能に設けられた前扉２とを備えている。また前扉２の上部には、販売対象商品の商品見本Ｓを展示する為の商品展示部３が設けられており、この商品展示部３には上記各商品見本Ｓのそれぞれに対応して商品選択釦４が配置されている。この商品選択釦４には、通常、販売可能表示や売り切れ表示を行うための表示器が組み込まれている。
【００１０】
更に前扉２の右側方部には、コイン投入口５と紙幣挿入口６の金銭投入口および返却レバー７等からなる金銭処理部が設けられている。一方、前扉２の前面下方部には釣り銭返却口８や商品払出口（取出口）９が設けられている。
ちなみに前扉２の前面パネル体２ａの裏面側には、図２の自動販売機の内部構成を示す概略図または図３の本発明の一実施形態に係る自動販売機の金銭授受装置および補強板の取り付け構造を示す分解斜視図に示すようにコイン投入口５から投入された硬貨（コイン）の種類を判別して、投入されたコインの金額を算出する硬貨処理装置１０が設けられている。更に前扉２の前面パネル体２ａの裏面側には、紙幣挿入口６から挿入された紙幣の種類を判別して、挿入された紙幣の金額を算出する紙幣選別装置１１が設けられている。この紙幣選別装置１１の紙幣挿入口６の近傍には、該紙幣選別装置１１の本体部の前面側より前方に突出した紙幣取込機構１２が設けられたものとなっている。ちなみに、この紙幣選別装置１１の紙幣挿入口６は、図４の金銭授受装置および補強板の取り付け構造を示す断面図に示すようにチャネル部材１３に取り付けた状態で前扉２の前面パネル体２ａより前方に突出するよう位置付けられる。
【００１１】
そして硬貨処理装置１０および紙幣選別装置１１は、前面パネル体２ａの裏面側に設けられたチャネル部材１３にネジ止め等して固定される（図示せず）。ちなみに硬貨処理装置１０は、紙幣選別装置１１の下方に位置付けられてチャネル部材１３に固定されるようになっている。
この硬貨処理装置１０の上部には、該硬貨処理装置１０の上方にあるコイン投入口５から投入されたコインを取り込む硬貨取入部１４が設けられている。また、前扉２の前面には、自動販売機の利用者（購入者）が投入した貨幣または商品購入の残金を払い出す返却レバー７が設けられている。この返却レバー７には、自動販売機の利用者（購入者）が行う返却操作を硬貨処理装置１０に伝達するリンク機構１５が設けられている。このリンク機構１５は、該硬貨処理装置１０の上方に位置付けられて返却レバー７の操作が伝達されるようになっている。
【００１２】
尚、硬貨処理装置１０は、返却レバー７が操作されると硬貨処理装置１０内に設けられた図示しない精算処理部が投入貨幣の払い戻しや残金の払い出し等の精算処理を行い、その金額に応じて釣り銭返却口８からはコインが返却され、紙幣挿入口６からは紙幣が返却されるようになっている。
また、チャネル部材１３と前面パネル体２ａとの間には、該硬貨処理装置１０および該紙幣選別装置１１の前面部に設けられた金銭投入口（コイン投入口５と紙幣挿入口６）を除く領域を覆う補強板２０がチャネル部材１３に例えばネジ１９によりネジ止めまたは溶接して固定される。
【００１３】
ここに本発明に係る自動販売機が特徴とするところは、金銭授受装置（硬貨処理装置１０および紙幣選別装置１１）の前面部に位置付けられた主体部２０ａと、この主体部２０ａから前面パネル体２ａ裏面側に所定の傾斜部２０ｂ，２０ｃを介して突出して前面パネル体２ａの裏面に位置付けられて金銭投入口（コイン投入口５および紙幣挿入口６）の周囲を覆う突出面２０ｄとを備えた補強板２０をチャネル部材１３に固定した点、およびこの補強板２０の突出面２０ｄと金銭投入口（コイン投入口５と紙幣挿入口６）の周囲との間を水密にシールした点にある。
【００１４】
つまり、補強板２０を紙幣挿入口６の周囲の部位を前扉２の前面パネル体２ａに位置付けると共に、チャネル部材１３に固定することにより前扉２の前面側の金銭投入口（コイン投入口５と紙幣挿入口６）から自動販売機になされる悪戯による金銭授受装置近傍の破壊を防止するものである。更にこの補強板２０は、前扉２に設けられた金銭投入口（コイン投入口５と紙幣挿入口６）の周囲の隙間から販売機内部に侵入する雨水を補強板２０に設けた突出面２０ｄの左右端部に導水することによって前面パネル体２ａの背面に取り付けられた金銭授受装置（硬貨処理装置１０および紙幣選別装置１１）に雨水が浸入しないようにする役割を担っている。ちなみに補強板２０の突出面２０ｄは、金銭授受装置（硬貨処理装置１０および紙幣選別装置１１）より幅広の板状の構造体をなしたものとなっている。
【００１５】
このような特徴ある補強板２０についてより詳細に説明する。
この補強板２０は、前扉２から紙幣選別装置１１および硬貨処理装置１０に対してなされる悪戯から保護するため、板厚［２ｍｍ］程度の鉄板を用いるとよい。この補強板２０には、自動販売機の前扉２よりなされる悪戯から紙幣選別装置１１および硬貨処理装置１０を保護するため、チャネル部材１３に例えばネジ止めまたは溶接固定される補強板２０の主体部２０ａから、上述したように紙幣選別装置１１の前方に設けられた紙幣取込機構１２の厚み分を考慮した突出面２０ｄが設けられている。この突出面２０ｄは、前面パネル体２ａの裏面部に接して溶接固定される。このため、板圧の薄い（通常０．８ｍｍ程度）の前面パネル体２ａ自動販売機の前扉からなされる悪戯（バールによる破壊等）を効果的に防止するようになっている。
【００１６】
ちなみにこの突出面２０ｄは、チャネル部材１３に固定される補強板２０の主体部２０ａから所定の傾斜面を介して一体に形成されている。具体的に突出面２０ｄの上方の傾斜面は、チャネル部材１３側から前面パネル体２ａに向かう傾斜部２０ｂを構成するものである。また、突出面２０ｄの下方の傾斜面は、前面パネル体２ａからチャネル部材１３側に向かう傾斜部２０ｃ構成している。
【００１７】
このような補強板２０を例えば鉄板で構成した場合、前述した突出面２０ｄおよび傾斜部２０ｂ，２０ｃは、該鉄板の一面に圧力を加えた絞り出し加工等を行うことによって形成すればよい。
かくしてこのように構成した本発明に係る自動販売機によれば、補強板２０の主体部２０ａをチャネル部材１３の前面部に位置付けると共に、この主体部２０ａから前面パネル体２ａの裏面に向けて所定の傾斜面を介して突出して形成した突出面２０ｄを前面パネル体２ａの裏面に接するように配置している。このため、前扉２の前面側からなされる金銭授受装置（紙幣選別装置１１および硬貨処理装置１０）に対する悪戯（破壊）を補強板２０によって効果的に防止することができる。また、この補強板２０の主体部２０ａから所定の傾斜面を介して前面パネル体２ａの裏面に突出面２０ｄが接しているので、この突出面２０ｄより上方の前扉２から侵入した雨水は、傾斜部２０ｂに流れ込むと共に、侵入した雨水をこの傾斜部２０ｂの側方端部から下方に流し込むことができる。このため、紙幣選別装置１１より下方に位置付けられた装置、例えば硬貨処理装置１０に水が侵入することを効果的に防止することができる。勿論、補強板２０に紙幣挿入口６を貫通させるために開けた開口部１６から、たとえ雨水が浸入したとしても、同様に突出面２０ｄの下方側に設けた傾斜部２０ｃの側方端部から下方に流し込むことができる。
【００１８】
尚、より好ましくは前面パネル体２ａの裏面と接する補強板２０の突出面２０ｄ、特に金銭投入口（コイン投入口５と紙幣挿入口６）の周囲をシール剤（図示せず）により水密にシールすることにより、より効果的に自動販売機の内部に侵入する雨水を防止することができる。
したがって本発明に係る自動販売機によれば、補強板２０によって前扉２の前面側からなされる金銭授受装置に対する悪戯（破壊）を効果的に防止すると共に、前扉２側から金銭授受装置の部位に侵入する雨水を効果的に防ぐことができる。
【００１９】
【発明の効果】
以上述べたように、本発明に係る自動販売機によれば、補強板の主体部をチャネル部材の前面部に位置付けると共に、この主体部から前面パネル体の裏面に向けて所定の傾斜面を介して突出して形成した突出面を前面パネル体の裏面に接するように配置しているので、前扉の前面側からなされる金銭授受装置に対する悪戯（破壊）を補強板により効果的に防止することができる。また、この補強板の主体部から所定の傾斜面を介して前面パネル体の裏面に突出面を接するように配置しているので、前扉から侵入した雨水を傾斜面で受けると共に、侵入した雨水をこの傾斜面の側方端部から下方に流し込むことができ、補強板の後方に設けられた装置に雨水が流入することを阻止できる等の実用上多大な効果が奏せられる。
【図面の簡単な説明】
【図１】本発明が適用される自動販売機の概略的な外観構成図。
【図２】本発明の一実施形態に係る自動販売機の内部構成を示す概略図。
【図３】本発明の一実施形態に係る自動販売機の金銭授受装置および補強板の取り付け構造を示す分解斜視図。
【図４】本発明の一実施形態に係る自動販売機の金銭授受装置および補強板の取り付け構造を示す断面図。
【符号の説明】
２ａ          前面パネル体
６            紙幣挿入口
７            返却レバー
１０            硬貨処理装置
１１            紙幣選別装置
１２            紙幣取込機構
１３            チャネル部材
１４            硬貨取入部
１５            リンク機構
２０            補強板
２０ａ          主体部
２０ｂ，２０ｃ  傾斜部
２０ｄ          突出面
【図１】
2004342034.tif 000003
【図２】
2004342034.tif 000004
【図３】
2004342034.tif 000005
【図４】
2004342034.tif 000006